(57)【要約】【課題】ズボンを吊り下げる際に、細かい作業や注意を必要とせず、簡便かつ確実にズボンの吊り下げ、または取り外しをすることができるズボン保持具とそれを用いた衣服掛けを提供する。【解決手段】ズボン１６を掛ける棒状体２と、棒状体２を挟持するアーム部３，３と、支軸９，９を介してアーム部３，３を傾動自在にそれぞれ支持する支持体６，６と、支持体６，６が両端に取り付けられた固定具４と、支軸９，９を軸として固定具４から離れる方向へ傾動したアーム部３，３を停止可能に，支持体６，６にそれぞれ取り付けられたストッパー部７とを備えたズボン保持具１が支柱１４で略水平に支持されるとともに、ズボン保持具１の上方に上着ハンガー８が取り付けられている。【選択図】図７
0003159822.tif 000002
【実用新案登録請求の範囲】
【請求項１】
ズボンの一対の股下部を挟んで保持するズボン保持具であって、
前記ズボンの一対の股下部を掛けるための棒状体と，この棒状体を挟持する一対のアーム部と、
この一対のアーム部を，支軸を介して傾動自在に支持する一対の支持体と、
この一対の支持体を，両端に取設する固定具と，を有し、
前記一対のアーム部を傾動させることで，前記棒状体に掛けたズボンの一対の股下部を前記固定具に当接させ，前記ズボンの一対の股下部を前記棒状体と前記固定具との間に挟んで保持することを特徴とするズボン保持具。
【請求項２】
前記一対の支持体のうち，少なくとも一の支持体には，前記支軸を軸として前記固定具から離れる方向へ傾動した前記アーム部を停止可能とするストッパー部が設けられることを特徴とする請求項１記載のズボン保持具。
【請求項３】
前記支軸は前記一対の支持体に設けられ，前記一対のアーム部は長手方向へ長く形成される軸受部を形成して、前記一対のアーム部を前記支軸を介して鉛直方向にスライドさせることで，前記棒状体に掛けたズボンの一対の股下部を前記固定具に当接させ，前記ズボンの一対の股下部を前記棒状体と前記固定具との間に挟んで保持することを特徴とする請求項１記載のズボン保持具。
【請求項４】
前記支軸は前記一対のアーム部に設けられ、前記一対の支持体は長手方向へ長く形成される軸受部を形成して、前記一対のアーム部を前記支軸を介して鉛直方向にスライドさせることで，前記棒状体に掛けたズボンの一対の股下部を前記固定具に当接させ，前記ズボンの一対の股下部を前記棒状体と前記固定具との間に挟んで保持することを特徴とする請求項１記載のズボン保持具。
【請求項５】
前記一対のアーム部を，前記支軸が前記軸受部下端に到達するまで鉛直方向にスライドさせた後、前記支軸を軸として前記固定具から離れる方向に傾動及び停止可能に，前記一対のアーム部の下端面は円弧形状部とストッパー部を形成してなることを特徴とする請求項３又は請求項４に記載のズボン保持具。
【請求項６】
請求項１乃至請求項５のいずれか１項に記載のズボン保持具は，
前記固定具を壁面に固定する取付具を備えたことを特徴とするズボン保持具。
【請求項７】
請求項１乃至請求項５のいずれか１項に記載のズボン保持具と、
衣服を掛けるハンガーと、
前記ズボン保持具及び前記ハンガーを取設して，自立可能に支持する支柱と、
を備えたことを特徴とする衣服掛け。
【請求項８】
請求項１乃至請求項５のいずれか１項に記載のズボン保持具と、
衣服を掛けるハンガーと、
前記ズボン保持具と前記ハンガーとを一体に連結する連結具と、
前記ハンガーを懸架するための吊り下げ具と、
を備えたことを特徴とする衣服掛け。
【考案の詳細な説明】
【技術分野】
【０００１】
本考案は、ズボン等の衣服が掛けられる棒状体と、棒状体が当接する固定具でズボンを挟むことにより、簡便かつ確実にズボンを吊り下げ、または取り外しをすることができるズボン保持具とそれを用いた衣服掛けに関する。
【背景技術】
【０００２】
従来、ハンガー等にズボンを吊り下げる場合、吊り下げ位置により自重でズボンがずり落ちたり、バランスが崩れてズボンが片方に寄ってしまい、ズボンにシワができたりすることがあった。そして、ハンガー等にズボンをバランスよく吊り下げるには、細かい作業を注意深く行わなければならず、面倒であった。また、ズボンが不用意にずり落ちないようにハンガー等の保持力を高めた場合、ハンガー等からズボンを簡単に取り外せなくなるおそれがあった。
このような課題を解決する目的で、簡便かつ確実にズボンの吊り下げ、または取り外しを簡単に行うことができる技術が注目されており、それに関して既にいくつかの考案や発明が開示されている。
【０００３】
特許文献１には「ズボンハンガー」という名称で、ズボンを強力に保持するためのハンガーに関する考案が開示されている。
以下、特許文献１に開示された考案を説明する。特許文献１に開示された考案は、洋服ハンガーと、ハンガーの肩部より突き出たガイドバーと、ガイドバーに接続されたＶ型溝棒と、ハンガーの略中心部よりのびたガイドバーと、ガイドバーによって滑動するように組み立てられたＶ型溝に系合する楔状押具と、ハンガーと楔状押具との間に嵌め込まれた圧縮バネとにより構成されるものである。
また、曲面構造の先端部を有する楔状押具のテーパー面がＶ型溝棒のＶ溝に圧縮バネによって押しつけられ、楔状押具とＶ型溝棒との間隙にズボンを挟んで圧縮保持する構造となっている。
このような構造によれば、ズボンをアンバランス状態にハンガーに掛けても、Ｖ型溝棒の溝と楔状押具のテーパー面によって、確実にズボンを係止して保持することができる。また、ズボンを押さえる楔先端部が曲面構造となっているため、ズボンが係止によって痛まないという効果を有する。
【０００４】
次に、特許文献２には、「簡便ズボン及びスカート等の吊り具」という名称で、衣類を簡単に吊り下げ、または取り外しをするための吊り具に関する発明が開示されている。
特許文献２に開示された発明は、板状の本体と、本体の両端から前方に突出下降した左右のアームと、つまみを設けた抑え板と、バネと、支点ネジとを備え、つまみを持って抑え板を持ち上げてできた本体との間隙にズボン等をはめ込むとともに、抑え板に設けたつまみを手前に引いてズボン等を取り外す構造となっている。そして、ズボン等をはめ込むとバネの先端が抑え板を押し、アームの下降先端部に支点ネジで連結された抑え板の抑え部にズボン等が食い込んだ状態になり、本体との間で挟まれて吊り下げられる構造となっている。
このような構造のズボン等の吊り具においては、ズボン等の両端を持って本体と抑え板の間にはめ込み、ズボン等の上縁がアームの内側に当たるまで持ち上げた場合、ズボンの厚みにより抑え板がズボンを狭着する位置まで移動し、ズボン等が本体と挟まれるようにして吊り下げられる。すなわち、本発明によれば、バネの力でズボン等が固定されるため、ズボン等を確実に吊り下げることができる。また、本体と抑え板の間にズボン等をはめ込むだけで良いため、ズボン等の吊り下げや取り外しを簡単に行うことができる。
【先行技術文献】
【特許文献】
【０００５】
【特許文献１】実開平６−７９３７６号公報
【特許文献２】特開２００３−１４４２９６号公報
【考案の概要】
【考案が解決しようとする課題】
【０００６】
しかしながら、特許文献１に開示された考案においては、ズボンを楔状押具とＶ型溝棒との間隙に挟みこむ場合、把手を離すと、圧縮バネの復元力によって楔状押具がＶ型溝棒と合わさってしまうため、楔状押具の把手を圧縮バネに抗して引き上げた状態で保持しておく必要がある。すなわち、本考案によれば、ズボンを楔状押具とＶ型溝棒との間隙に挟みこむ際に、把手を保持するのに少なくとも片手がふさがってしまうため、Ｖ型溝棒上に通したズボンをシワにならないように整える作業を片手で行わなければならない。また、把手を離すタイミングによっては、間隙に手が挟まれる可能性がある。
【０００７】
次に、特許文献２に開示された発明においては、特許文献２の図５に示されるように、本体と抑え板の間にズボン等を挟み込む際に、両手でズボン等の胴部を持たなければならないため、作業性が悪いという課題があった。また、ズボン等が厚すぎたり、ズボン等自体が重すぎたりする場合には、バネによる圧着力が不足し、ズボンがずり落ちる可能性がある。さらに、厚みが薄くてもズボン等の表面が滑らか過ぎる場合には、同様にずり落ちる可能性がある。一方、バネの圧着力を強めると、ズボンを取り外す際につまみ７を強く引っ張らなければならない。そして、特許文献２の図５に示すようにズボンの胴部が挟まれた状態では、ベルトを通す部分より下の薄い布地部分が抑え板で強力に抑えつけられることになるため、つまみを引っ張る力が弱いと、ベルトを通す部分が抑え板に引っ掛かって外し難い。
このように、本発明においては、バネの圧着力が適正でないと、ズボン等の吊り下げ、取り外しが確実にできないという課題があった。
【０００８】
本考案は、このような従来の事情に対処してなされたものであり、ズボンを吊り下げる際に、細かい作業や注意を必要とせず、簡便かつ確実にズボンの吊り下げ、または取り外しをすることができるズボン保持具とそれを用いた衣服掛けを
提供することを目的とする。
【課題を解決するための手段】
【０００９】
上記目的を達成するため、請求項１記載の考案は、ズボンの一対の股下部を挟んで保持するズボン保持具であって、ズボンの一対の股下部を掛けるための棒状体と、この棒状体を挟持する一対のアーム部と、この一対のアーム部を、支軸を介して傾動自在に支持する一対の支持体と、この一対の支持体を、両端に取設する固定具と、を有し、一対のアーム部を傾動させることで、棒状体に掛けたズボンの一対の股下部を固定具に当接させ、ズボンの一対の股下部を棒状体と固定具との間に挟んで保持することを特徴とするものである。
上記構成のズボン保持具においては、ズボンを二つ折りにして棒状体の上に掛け、アーム部を固定具に近づけるように押すことで、棒状体と固定具との間にズボンが挟まれて保持され、また反対に、アーム部を固定具から遠ざけることでズボンの保持状態が解除されるという作用を有する。
【００１０】
また、請求項２記載の考案であるズボン保持具は、請求項１に記載の考案において、一対の支持体のうち、少なくとも一の支持体には、支軸を軸として固定具から離れる方向へ傾動したアーム部を、停止可能とするストッパー部が設けられることを特徴とするものである。
上記構成のズボン保持具においては、アーム部を固定具から遠ざける方向へ引いたとき、一定の位置でアーム部を停止させ、棒状体が保持されるという作用を有する。したがって、ズボンの掛け外しの際に、固定具から離れる方向、すなわち使用者の側へアーム部が傾動して、利用容易に棒状体が保持されるという作用を有する。
【００１１】
次に、請求項３記載の考案であるズボン保持具は、請求項１に記載のズボン保持具において、支軸は一対の支持体に設けられ、一対のアーム部は長手方向へ長く形成される軸受部を形成して、一対のアーム部を支軸を介して鉛直方向にスライドさせることで、棒状体に掛けたズボンの一対の股下部を固定具に当接させ、ズボンの一対の股下部を棒状体と固定具との間に挟んで保持することを特徴とするものである。
上記構成のズボン保持具においては、支持体に支軸を設け、かつアーム部に長手方向へ長い軸受部を設けたことにより、アーム部が固定具に近づく、または遠ざかる、さらには支持体に沿ったスライド運動を行うことができるという作用を有する。すなわち、ズボンを掛けてアーム部を固定具に近づく方向に押すと、この部分が支軸を中心として傾動した後下向きの鉛直方向に平行移動して、棒状体と固定具とがズボンを挟んで保持できる状態になる。逆に、アーム部を上向きの鉛直方向へ持ち上げ、さらに固定具から遠ざける方向に引くことにより、ズボンを取り外すことができる状態となる。
【００１２】
さらに、請求項４記載の考案であるズボン保持具は、請求項１に記載のズボン保持具において、支軸は一対のアーム部に設けられ、一対の支持体は長手方向へ長く形成される軸受部を形成して、前記一対のアーム部を支軸を介して鉛直方向にスライドさせることで、棒状体に掛けたズボンの一対の股下部を固定具に当接させ、ズボンの一対の股下部を棒状体と固定具との間に挟んで保持することを特徴とするものである。
上記構成のズボン保持具においては、アーム部に支軸を設け、支持体に長手方向へ長い軸受部を設けたことにより、上記請求項３と同様の作用を有する。
【００１３】
また、請求項５記載の考案であるズボン保持具は、請求項３又は請求項４に記載のズボン保持具において、一対のアーム部を、支軸が軸受部下端に到達するまで鉛直方向にスライドさせた後、支軸を軸として固定具から離れる方向に傾動及び停止可能に、一対のアーム部の下端は円弧形状部とストッパー部を形成してなることを特徴とするものである。
上記構成のズボン保持具においては、アーム部の下端が円弧形状である構造により、アーム部を支軸を中心として傾かせる際に、下端が固定具に引っ掛からないという作用を有する。また、先端に近い部分は直線形状である構造により、下端が固定具に引っ掛かり、アーム部の傾動を停止させるという作用を有する。これらの作用は、上記請求項３又は請求項４に記載のズボン保持具も有するものである。
【００１４】
次に、請求項６記載の考案であるズボン保持具は、請求項１乃至請求項５のいずれか１項に記載のズボン保持具において、固定具を壁面に固定する取り付け具を備えたことを特徴とするものである。
上記構成のズボン保持具においては、取り付け具により任意の場所や高さの壁面に取り付けることができるという作用を有する。
【００１５】
さらに、請求項７記載の考案である衣服掛けは、請求項１乃至請求項５のいずれか１項に記載のズボン保持具と、衣服を掛けるハンガーと、ズボン保持具及びハンガーを取設して、自立可能に支持する支柱と、を備えたことを特徴とするものである。
上記構成の衣服掛けにおいては、上着とズボンとを同時に一つの衣服掛けに収容できるという作用を有する。また、部屋等の任意の位置に自立して設置できるという作用を有する。
【００１６】
また、請求項８記載の考案である衣服掛けは、請求項１乃至請求項５のいずれか１項に記載のズボン保持具と、衣服を掛けるハンガーと、ズボン保持具とハンガーとを一体に連結する連結具と、ハンガーを懸架するための吊り下げ具と、を備えたことを特徴とするものである。
上記構成の衣服掛けにおいては、ハンガーが上着を掛けるように作用するため、ズボンと同時に一つの衣服掛けにコンパクトに収容できる。また、吊下げ具が、部屋やクローゼットの任意の壁面や渡し棒等に懸架するように作用する。
【考案の効果】
【００１７】
以上説明したように、本考案の請求項１記載のズボン保持具においては、ズボンの吊り下げが、ズボンを掛けた後アーム部を押すという一つの動作ですることができるので、細かい注意を必要とせず簡便に使用できるという効果を有する。また、取り外す場合も、上記と反対の動作を一つすればよいだけなので、これも上記と同様の効果を有する。
【００１８】
本考案の請求項２記載のズボン保持具においては、ズボンの掛け外しの際に、棒状体の支軸を中心とした傾動の角度が小さくて済むという作用を有するため、棒状体を大きく動かすことが必要な場合よりも、その際の手間を少なくすることができる。
【００１９】
本考案の請求項３記載のズボン保持具においては、ズボンを掛けた後はアーム部を押すという一つの動作でズボンを吊り下げることができるので、細かい注意を必要とせず簡便に使用できるという効果を有する。反対に、取り外す場合においては、一度アーム部を上方にスライドさせてから手前に引っ張るという二段階の操作が必要となるが、これも細かい注意を必要とする操作ではなく、簡便な使用が可能である。
【００２０】
本考案の請求項４記載のズボン保持具においては、請求項３記載のズボン保持具の上記効果と同様である。
【００２１】
本考案の請求項５記載のズボン保持具においては、請求項３記載のズボン保持具の上記効果と同様である。
【００２２】
本考案の請求項６記載のズボン保持具においては、取付具により任意の場所や高さの壁面に取り付けることができることから、使用したい場所を選ばず、汎用性が高い。また、取り付け具の選択により、固定あるいは移動可能ともなり、希望に応じた取付ができて便利である。
【００２３】
本考案の請求項７記載の衣服掛けにおいては、上着とズボンを同時に一つの衣服掛けに収容できるということから、衣服が散らからず部屋を整った状態に保つことができる。また、部屋等の任意の位置に自立して設置できることから、移動がしやすく便利である。
【００２４】
本考案の請求項８記載の衣服掛けにおいては、壁面に突起などを設けることによれば簡単に懸架可能であり、また、突起の他にも渡し棒等へも懸架可能であることから、取り付け場所を任意に選ぶことができ、汎用性が高い。また、ハンガーとズボン保持具が一体に連結されているので、上着とズボンを同時に、よりコンパクトに収容できるということから、部屋等を整った状態に保つことができる。すなわち、請求項６に係るズボン保持具の効果と請求項７に係る衣服掛けの効果を併せ持っている。
【図面の簡単な説明】
【００２５】
【図１】実施例１に係るズボン保持具の外観斜視図である。
【図２】図１のＡ−Ａ線矢視断面の部分図である。
【図３】実施例２に係るズボン保持具の外観斜視図である。
【図４】図３のＢ−Ｂ線矢視断面の部分図である。
【図５】（ａ）乃至（ｃ）は図３の部分拡大図である。
【図６】（ａ）乃至（ｃ）は実施例３に係るズボン保持具の部分拡大図である。
【図７】実施例４に係る衣服掛けの外観斜視図である。
【図８】実施例５に係る衣服掛けの外観斜視図である。
【考案を実施するための形態】
【実施例１】
【００２６】
本考案に係る実施例１のズボン保持具について、図１および図２を用いて詳細に説明する。
図１は実施例１に係るズボン保持具の外観斜視図であり、図２は図１のＡ−Ａ線矢視断面の部分図であって、アーム部が開いた状態を示している。
【００２７】
図１に示すように、ズボン保持具１はズボン１６（図７参照）の一対の股下部を挟んで保持するためのものであり、ズボン１６を掛ける棒状体２と、棒状体２を挟持する一対のアーム部３，３と、支軸９，９を介してアーム部３，３を傾動自在にそれぞれ支持する一対の支持体６，６と、支持体６，６が両端に取り付けられた固定具４と、支軸９，９を軸として固定具４から離れる方向へ傾動したアーム部３，３を停止可能に，支持体６，６にそれぞれ取り付けられたストッパー部７とを備えている。ここで、支軸９、９を介してとしたのは、支軸９，９がアーム部３，３または支持体６，６のいずれにあっても、アーム部３，３を自在に傾動することができ、その両方を含む概念であるためである。
さらに、固定具４の棒状体２が当接する部分には、保持部５が設けられている。また、ズボン１６を二つ折りにして掛けるのに十分な横幅を有する棒状体２は、両端にアーム部３，３が連結される。このアーム部３，３が平面視して固定具４に近い側へ傾動することで、棒状体２と保持部５との間でズボン１６を挟むので、アーム部３，３が固定具４や支持体６，６と干渉して棒状体２と保持部５との間に隙間ができないように、アーム部３，３の固定具４側のそれぞれの裏面は固定具４の長手方向に対して平行をなしている。
【００２８】
ズボン保持具１を構成するアーム部３は、棒状体２を支持するのに必要な剛性を確保するための十分な厚さを有する長板材であり、上端１９、体部２０及び下端２１から構成され、下端２１近傍の体部２０に設けられた支軸９を介して支持体６の先端部２２に連結されている。固定具４に立設される支持体６，６は、アーム部３，３を支持するのに必要な剛性を確保するための十分な厚さを有する板材であり、基部２３，２３が固定具４の端部に固着されている。また、前述したように支持体６，６には、ストッパー部７，７がそれぞれ設けられている。
【００２９】
図２に示すように、アーム部３は支軸９を中心としてαまたはβで示される方向に傾動可能となっている。すなわち、アーム部３が支持体６との連結部である支軸９を中心として傾動することにより、棒状体２は支軸９を中心として弧を描いて固定具４に覆いかぶさるように近づき、あるいは、固定具４から遠ざかる。そして、固定具４から遠ざかる方向に傾動したアーム部３は、下端２１がストッパー部７に係止して傾動が停止する。すなわち、このような構造のズボン保持具１においては、両端をアーム部３に支えられている棒状体２にズボン１６を掛けた状態で固定具４に近づけるようにアーム部３を傾動させることにより、ズボン１６が棒状体２と保持部５によって挟持されるという作用を有する。このとき、棒状体２が、ズボン１６を二つ折りしても充分収まる長さであることから、シワにならないようにズボン１６を棒状体２の幅一杯に広げて掛けることができる。
【００３０】
棒状体２と保持部５によるズボン１６の保持状態は、アーム部３もしくは棒状体２を手で持って手前に引くことにより、容易に解除される。すなわち、細かい操作や注意を必要とせずに簡単な一つの動作のみで、ズボン１６の保持や取り外しを行うことができる。また、棒状体２の長軸方向は常に床面と水平になっているため、掛けたズボン１６が左右に傾くおそれがない。従って、ズボン１６が棒状体２から落下したり、ズボン１６にシワができたりするといった不具合を防ぐことができる。
さらに、ズボン１６が狭持されている間は、棒状体２、アーム部３，３およびズボン１６がそれら自身の重さをもって固定具４及び保持部５にのし掛かっているので、触らない限りはズボン１６が動くことはなく、長時間に渡って確実にズボン１６を狭持することができる。また、棒状体２および保持部５のそれぞれがズボン１６と摩擦し合うため、ズボン１６が滑ることは少なく、わずかな振動ではズボン１６がずれないため、シワになりにくく、落下しにくい。
加えて、棒状体２の傾動する範囲が一定以下に限られることから、棒状体２が支軸９の高さより下がることがない。従って、ズボン１６の掛け外しのために棒状体２を大きく傾かせる必要がなく、操作を手早くすることができる。また、大きく傾かせるときにありがちな、棒状体２が動く勢いでズボン１６が滑って落下するという不具合を防ぐことができる。さらに、棒状体２の移動距離が短くて済むため、短時間でズボン１６の掛け外しが可能となる。よって、急いでいる場合には特に便利である。
【００３１】
なお、支軸９は、本実施例ではアーム部３に設置されているが、アーム部３の代わりに支持体６自身に設置されていても良い。また、本実施例では左右の支持体６にストッパー部７を設けたが、どちらか一方に設けた構造とすることもできる。さらに、保持部５が、棒状体２が当接する部分として固定具４に一体として設けられた構造であっても良い。あるいは保持部５を設けることなく固定具４と棒状体２でズボン１６を挟持する構成としてもよい。
なお、本実施例１に係るズボン保持具は、図７を用いて後述するように支柱１４（図７参照）によって略水平に支持されるようにして用いられたり、あるいは壁面に固定されるなどして使用されるとよい。
【実施例２】
【００３２】
本考案に係る実施例２のズボン保持具について、図３乃至図５を用いて詳細に説明する。
図３は実施例２に係るズボン保持具の外観斜視図である。また、図４は図３のＢ−Ｂ線矢視断面の部分図である。そして、図５（ａ）乃至図５（ｃ）はいずれも図３の部分拡大図であり、図５（ａ）はアーム部が閉じた状態を示し、図５（ｂ）はアーム部が閉じたまま上方にスライドした状態を示し、図５（ｃ）はアーム部が手前に傾いた状態を示している。また、図１または図２で示した構成要素については同一の符号を付して、その説明を省略する。
【００３３】
図３に示すように実施例２は、ズボン保持具１８と、ズボン保持具１８から鉛直方向に接続された二本の壁面取り付けフック１７，１７とから構成される。壁面取り付けフック１７，１７は、鈎状に曲げられた先端部を壁面に突設される部材や水平棒、あるいはクローゼット内の水平に渡された金属製ポール等に引掛けてズボン保持具１８を壁面等やクローゼット内に取り付けるためのものである。
なお、ズボン保持具１８の棒状体２が床面等に対して水平に設置されるように、壁面取り付けフック１７，１７は二本とも同じ長さとなっている。
【００３４】
実施例２に係るズボン保持具１８は、実施例１のズボン保持具１において、支持体６にストッパー部７を設ける代わりに、アーム部３の下端２１を円弧形状部１２とアーム部ストッパー部１３とで形成するとともに、アーム部３の一部に軸受部１１を設けたことを特徴とする。軸受部１１はアーム部３の長手方向に沿って長く形成されており、その形状は図３に示すような外縁から切れ込んだ切欠き状のものであっても、あるいは、切れ込みのない長穴状のものであってもよい。さらに、支持体６，６の内側の面（棒状体２が連結されている面）の対向する箇所にそれぞれ立設される支軸１０，１０は、軸受部１１，１１の内部にそれぞれ遊嵌配置されている。これにより、アーム部３は、支軸１０を介して支持体６によって鉛直方向へスライド可能に保持される。
また、図４に示すように、アーム部ストッパー部１３が固定具４に当接する。なお、図５（ａ）は支軸１０が軸受部１１の最上部に接している状態を表し、図５（ｂ）は支軸１０が軸受部１１の最下部に接している状態を表している。また、アーム部３の下端２１が円弧形状部１２とアーム部ストッパー部１３とで形成されていることから、支軸１０が軸受部１１の最下部に接している状態では、アーム部３が支軸１０を中心として傾動可能となる。すなわち、図５（ｂ）において、固定具４から離れる方向へ棒状体２を引っ張ると、アーム部３が支軸１０を中心として傾動する。
そして、図５（ｃ）に示すようにアーム部ストッパー部１３が固定具４に係止するため、アーム部３は所定の角度だけ傾動した状態で固定される。また、図５（ｃ）に示す状態から棒状体２を保持部５へ近づけるように押すと、アーム部３の長手方向が鉛直方向に平行となって図５（ｂ）に示す状態となる。さらに、アーム部３を鉛直方向に沿って押し下げると、図５（ａ）に示す状態に戻る。なお、図５（ａ）に示す状態では、アーム部３の体部２０が固定具４に当接あるいは近接するため、アーム部３は傾動不能となっている。
本実施例においては、実施例１が支軸９を中心に傾動してズボン１６を挟持する機構を備えるのと異なり、棒状体２とアーム部３の上下動によってズボン１６を挟持するため、支持体６の水平前後方向の厚さを、ズボン保持具１のものよりも薄くすることができる。
【００３５】
また、本実施例のズボン保持具１８においては、実施例１のズボン保持具１の作用に加えて、棒状体２及びアーム部３，３の自重がズボン１６を鉛直方向に押下げるため、棒状体２と保持部５によるズボン１６の保持力が高まるという作用を有する。従って、ズボン保持具１８では、実施例１のズボン保持具１よりも一層確実にズボン１６を保持することが可能である。さらに、ズボン１６が棒状体２と保持部５によって挟持された状態で、アーム部３，３を傾動させるような力が棒状体２やアーム部６，６に作用した場合でも、アーム部３，３の体部２０が固定具４に係止して傾動を阻止するという作用を有する。従って、不必要なズボン１６のずれや落下を防ぐことができる。
【００３６】
以上説明したように、上記構造のズボン保持具１８を備えた実施例２は、ズボン保持具１８が全体的に薄型かつコンパクトな構造であるので、ズボン保持具１８ごと移動させることにより、壁面取り付けフック１７，１７を取り付け可能な壁面の任意の位置に設置できる。すなわち、移動が容易であり、利便性が良い。
また、支持体６，６の水平前後方向の厚さが実施例１のものより薄いという構造から、ズボンを収容したとき、より省スペースとなるという効果を有する。
【００３７】
本実施例では壁面への取り付け具として壁面取り付けフック１７，１７を用いているが、取り付け具の形状は適宜変更可能である。例えば、壁面取り付けフック１７，１７の代わりに、ネジで固定できるような取り付け具や、または上着ハンガー８（図７参照）を接続するための連結具を取り付けて、さらにその上方に上着ハンガー８を設置することもできる。このように、取り付け具の種類を変更することによれば、壁面等に対して完全に固定する場合と、着脱可能に設置する場合のいずれかを選択することができる。また、壁面は、必ずしも床面に対して垂直でなくとも良い。すなわち、壁面が床面に対して斜めに配置されていてもズボン保持具１８を設置できる空間があれば、容易に使用することができる。例えば、壁面に限らず、階段下などの僅かなスペースでも使用可能である。
なお、本実施例２に係るズボン保持具は、図８を用いて後述するように上着ハンガー８と組み合わせて用いてもよいし、あるいは図７に示されるような支柱１４に固定支持させて、上着ハンガー支持部２４及び上着ハンガー８と組み合わせて用いてもよい。
【実施例３】
【００３８】
実施例３のズボン保持具について、図６を用いて説明する。図６（ａ）乃至図６（ｃ）は実施例３に係るズボン保持具の部分拡大図である。図６（ａ）はアーム部が閉じた状態を示し、図６（ｂ）はアーム部が閉じたまま上方にスライドした状態を示し、図６（ｃ）はアーム部が手前に傾いた状態を示している。なお、図１乃至図５で示した構成要素については同一の符号を付して、その説明を省略する。
本実施例のズボン保持具２６は、図３乃至図５を参照しながら説明した実施例２のズボン保持具１８において軸受部１１をアーム部３の代わりに支持体６に設け、支軸１０を支持体６の代わりにアーム部３に設けたことを特徴とする。
軸受部１１は、図６（ａ）乃至図６（ｃ）に示すように、支持体６を貫通して設けられた空間で、その上部側において平面視して手前側に溝を延長した形状、すなわちアルファベットの文字Ｌを逆さにしたような形状である。逆さにした文字Ｌの水平部分は、アーム部３が図６（ｂ）の位置で傾動可能であるよう、例えば、上縁が円弧形状部１２と同様のカーブを描いている。
図６（ａ）は支軸１０が軸受部１１の最下部に接している状態を表し、図６（ｂ）は支軸１０が軸受部１１の鉛直形状部での最上部に接している状態を表している。図６（ｂ）の状態では、アーム部３が支軸１０を中心として傾動可能となる。すなわち、図６（ｂ）において、固定具４から離れる方向へ棒状体２を引っ張ると、アーム部３が支軸１０を中心として傾動する。そして、図６（ｃ）に示すようにアーム部ストッパー部１３が固定具４に当接するため、アーム部３は所定の角度だけ傾動した状態で固定される。また、図６（ｃ）に示す状態から棒状体２を固定具４へ近づけるように押すと、アーム部３の長手方向が鉛直方向に平行となって図６（ｂ）に示す状態となる。さらに、アーム部３を鉛直方向に沿って押し下げると、図６（ａ）に示す状態に戻る。なお、図６（ｃ）に示す状態では、アーム部３の体部２０が固定具４に当接するため、アーム部３は傾動不能となっている。
【００３９】
以上より、実施例３に係るズボン保持具２６はズボン挟持に関して、実施例２のズボン保持具１８と同様の作用及び効果を有する。
なお、アーム部３の幅が細く、軸受部１１を設けることでアーム部３の剛性が著しく低下するおそれがある場合にも、本実施例の構造が有効である。
【実施例４】
【００４０】
実施例４の衣服掛けについて、図７を用いて詳細に説明する。なお、図１乃至図６で示した構成要素については同一の符号を付して、その説明を省略する。
図７に示すように、本実施例の衣服掛け２７は、下端が台座１５で連結された支柱１４と、支柱１４によって略中央を支持されるズボン保持具１と、ズボン保持具１の背面に鉛直方向に取り付けられた上着ハンガー支持部２４と、上着ハンガー支持部２４の上端に取り付けられた上着ハンガー８とを備えた構造となっている。そして、上着ハンガー支持部２４の下端はズボン保持具１の横幅方向の略中央に連結され、上着ハンガー支持部２４の上端は上着ハンガー８の下面中央に連結されている。なお、上着ハンガー８は、スーツ等の上着を掛けるためのものであり、その形状は図１に示すものに限られない。従って、上着が掛けられるものならば、どのような形状でもよい。
【００４１】
次に、支柱１４は、二つ折にした成人のズボン１６が台座１５に触れず、かつ、使用者がズボン１６を掛けやすい程度の高さであれば良く、横断面の形状は円形や四角形に限らず、適宜変更可能である。台座１５は、床面に水平な方向に広い面を持つ板状であれば良く、平面視した場合の形状はどのようなものでもよい。支柱１４が立設される台座１５は、所定の重量を有しており、また、その底面は、他のすべての部分と衣服を安定して保持できるように十分な面積を有している。
【００４２】
なお、本実施例においては支柱１４の本数は一本であり、ズボン保持具１の背面を構成する後述の固定具４が支柱１４に固定されるように構成されるが、支柱１４の本数は一本に限定されるものではない。例えば、二本の場合も考えられ、その場合には、支柱１４，１４はズボン保持具１の両端に連結された支持体６，６と一体化するように構成することもできる。すなわち、図２に示される支持体６，６が上下に伸びて支柱を構成するような場合で、この２本の支持体６，６でズボン保持具１を挟さむように支持することも可能である。
【００４３】
上記構造のズボン保持具１を備えた実施例４の衣服掛け２７においては、上着とズボン１６が同時に収容される。従って、衣服が散らからず部屋を整った状態に保つことができる。また、衣服掛けが部屋に占める範囲が、別々に収容する場合よりも小さくて済むので、残った部屋面積を広く使用することができる。
さらに、上着とズボン１６がそれぞれ独立の上着ハンガー８とズボン保持具１で保持されるので、どちらか一方を掛け外しする場合であっても、他方の衣服に触れる必要がなく、取り扱いの煩わしさをなくすことができる。特に、これは衣服の交換時にも便利である。
他にも、上着ハンガー８とズボン保持具１の高さ位置がある程度離れているため、上着とズボン１６を同時に掛ける際に通常行われる、まず上着を脱いで掛けて次にズボン１６を吊り下げる、といった場合に互いに干渉することがなく、順序良く整然と作業を行うことができる。逆に、取り外す際の、まずズボン１６を取り外して着てから次に上着をはずす、といった場合でも同様の効果を有する。
また、ズボン保持具１においては、支持体６，６の水平前後方向の厚さがある程度分厚いが、上着ハンガー８とズボン保持具１の高さ位置がある程度離れているために、上着とズボンを同時に掛けたとしてもそれらが重ならず、場所を取らずに衣服を収容できる。
加えて、台座１５ごと動かすことにより、部屋等の任意の位置に設置できるため、簡単に移動が可能で使用や部屋掃除の際に便利である。また、自立可能であることから、特別な支えや工事がいらず、設置しやすい。よって、消費者が容易に購入しやすい。
【実施例５】
【００４４】
実施例５の衣服掛けについて、図８を用いて説明する。なお、図１乃至図７で示した構成要素については同一の符号を付して、その構成に関する説明を省略する。
本実施例の衣服掛け２８は、図３乃至図５を参照しながら説明した実施例２のズボン保持具１８の上方に上着ハンガー８及び上着ハンガー壁面吊り下げ具２５が設置された構造となっている。
ズボン保持具１８と上着ハンガー８は、例えば、ズボン保持具１８の二本の壁面取り付けフック１７，１７に対して、上着ハンガー８の下部面や側面に掛止可能なフックやリングを設けることで連結が可能である。そして、上着ハンガー８の上側に壁面やクローゼット内へ吊り下げるための部材を設けて壁等に懸架や固定等することで、上着ハンガー８とズボン保持具１８を一体として壁等から吊り下げる構造とすることができる。
ズボン保持具１８と上着ハンガー８は、壁面取り付けフック１７，１７の他にも図７に示される上着ハンガー支持部２４のような棒状の支持部材、あるいは板状の支持部材によって連結されてもよい。また、上着ハンガー８は、ズボン保持具１８の両端に配置された支持体６，６と一体化するように構成することもできる。すなわち、支持体６，６が上方に伸びて支持部材として構成されるような場合で、この２本の支持体６，６がズボン保持具１８を挟むように支持することも可能である。
このように構成される実施例５に係る衣服掛け２８においても実施例４に係る衣服掛け２７と同様の効果を発揮することができる。さらに、ズボン保持具１８においては、支持体６，６の水平前後方向の厚さがズボン保持具１のものより薄い。よって、上着ハンガー８とズボン保持具１８の高さ位置を接近させた場合には、上着ハンガー８に掛けた上着の内側にズボン保持具１８に掛けたズボンを収容することができ、空間効率良く衣服を収容できる。また、本実施例における衣服掛け２８では、前述のとおり上着ハンガー８の上側に設けられた壁面やクローゼット内へ吊り下げるための部材を介して壁面等に設置可能であることから、場所を取らずコンパクトに構成させることが可能である。従って、ホテルなどの壁面あるいはウォークインクローゼットの中に設置されるビルトインタイプの衣服掛けとしても利用が可能である。
なお、本実施例５においては実施例２に係るズボン保持具１８を用いて説明したが、実施例３に係るズボン保持具２６を用いてもよいことは言うまでもない。また、本実施例５においては、図８に示すような上着ハンガー壁面吊り下げ具２５を用いているが、吊り下げ具の形状は適宜変更可能である。例えば、上着ハンガー８の上方に、上着ハンガー８が壁面等より適度な間隔をもって固定される形状の吊り下げ具を用いることができる。
【００４５】
上記構造の衣服掛け２８においては、上着とズボン１６を同時に、または片方ずつ保持することができる。この場合、一か所に二種類の衣服を掛けることで、衣服が散らからず、部屋を整頓された状態にすることができる。また、ズボン保持具１８と上着ハンガー８の接続を、取り外し可能なものとしておけば、個別に使用できるため、使用者の使い勝手が良い。
【産業上の利用可能性】
【００４６】
請求項１乃至請求項７に記載された考案は、ズボンあるいはズボンとジャケットやスーツの組合せに限らず、女性用のスカートとジャケットあるいはスーツとの組み合わせなど、細長い衣服を整頓する場合に適用可能である。
【符号の説明】
【００４７】
１…ズボン保持具  ２…棒状体  ３…アーム部  ４…固定具  ５…保持部  ６…支持体  ７…ストッパー部  ８…上着ハンガー  ９，１０…支軸  １１…軸受部  １２…アーム部円弧形状部  １３…アーム部ストッパー部  １４…支柱  １５…台座  １６…ズボン  １７…壁面取り付けフック  １８…ズボン保持具  １９…上端  ２０…体部  ２１…下端  ２２…先端部  ２３…基部  ２４…上着ハンガー支持部  ２５…上着ハンガー壁面吊り下げ具  ２６…ズボン保持具  ２７，２８…衣服掛け
【図１】
0003159822.tif 000003
【図２】
0003159822.tif 000004
【図３】
0003159822.tif 000005
【図４】
0003159822.tif 000006
【図５】
0003159822.tif 000007
【図６】
0003159822.tif 000008
【図７】
0003159822.tif 000009
【図８】
0003159822.tif 000010